(57)【特許請求の範囲】
【請求項１】
特定の方向における位置関係を、所定の配置規則に従って順に配置して、所定の空間に配置された複数のカメラによる撮影視点の異なる撮影画像である複数の画像に関する情報を表示する複数画像表示手段と、
前記複数画像表示手段により表示された複数の画像に関する情報のうち、互いに隣接するものの連続的な選択を受け付ける画像選択入力手段と、
前記画像選択入力手段により受け付けた選択に係る画像を示す情報を記録する画像情報記録手段と、
前記画像情報記録手段により記録された複数の情報に基づいて前記情報に係る画像を連続して表示する連続画像表示手段と、
を備え、
前記複数画像表示手段により表示される複数の画像に関する情報は、行方向における位置関係を前記撮影視点の空間的並びの順に、列方向における位置関係を撮影時刻の順に、マトリックス状に配置したものであり、
前記複数画像表示手段により表示される複数の画像に関する情報のマトリックス状の配列を行方向または列方向に複数個並べて新たなマトリックス状の配列を生成する画像マトリックス繰り返し手段を備えること、
を特徴とする画像編集再生装置。
【請求項２】
特定の方向における位置関係を、所定の配置規則に従って順に配置して、所定の空間に配置された複数のカメラによる撮影視点の異なる撮影画像である複数の画像に関する情報を表示する複数画像表示手段と、
前記複数画像表示手段により表示された複数の画像に関する情報のうち、互いに隣接するものの連続的な選択を受け付ける画像選択入力手段と、
前記画像選択入力手段により受け付けた選択に係る画像を示す情報を記録する画像情報記録手段と、
前記画像情報記録手段により記録された複数の情報に基づいて前記情報に係る画像を連続して表示する連続画像表示手段と、
を備え、
前記複数画像表示手段により表示される複数の画像に関する情報は、行方向における位置関係を撮影時刻の順に、列方向における位置関係を前記撮影視点の空間的並びの順に、マトリックス状に配置したものであり、
前記複数画像表示手段により表示される複数の画像に関する情報のマトリックス状の配列を行方向または列方向に複数個並べて新たなマトリックス状の配列を生成する画像マトリックス繰り返し手段を備えること、
を特徴とする画像編集再生装置。
【請求項３】
特定の方向における位置関係を、所定の配置規則に従って順に配置して、複数の画像に関する情報を表示する複数画像表示手段と、
前記複数画像表示手段により表示された複数の画像に関する情報のうち、互いに隣接するものの連続的な選択を受け付ける画像選択入力手段と、
前記画像選択入力手段により受け付けた選択に係る画像を示す情報を記録する画像情報記録手段と、
前記画像情報記録手段により記録された複数の情報に基づいて前記情報に係る画像を連続して表示する連続画像表示手段と、
を備え、
前記複数画像表示手段により表示される複数の画像に関する情報は、行を構成する画像が同一であり、列方向における位置関係を撮影時刻の順に、マトリックス状に配置したものであり、
前記複数画像表示手段により表示される複数の画像に関する情報のマトリックス状の配列を行方向または列方向に複数個並べて新たなマトリックス状の配列を生成する画像マトリックス繰り返し手段を備えること、
を特徴とする画像編集再生装置。
【請求項４】
特定の方向における位置関係を、所定の配置規則に従って順に配置して、所定の空間に配置された複数のカメラによる撮影視点の異なる撮影画像である複数の画像に関する情報を表示する複数画像表示手段と、
前記複数画像表示手段により表示された複数の画像に関する情報のうち、互いに隣接するものの連続的な選択を受け付ける画像選択入力手段と、
前記画像選択入力手段により受け付けた選択に係る画像を示す情報を記録する画像情報記録手段と、
前記画像情報記録手段により記録された複数の情報に基づいて前記情報に係る画像を連続して表示する連続画像表示手段と、
を備え、
前記複数画像表示手段により表示される複数の画像に関する情報は、列を構成する画像が同一であり、行方向における位置関係を前記撮影視点の空間的並びの順に、マトリックス状に配置したものであり、
前記複数画像表示手段により表示される複数の画像に関する情報のマトリックス状の配列を行方向または列方向に複数個並べて新たなマトリックス状の配列を生成する画像マトリックス繰り返し手段を備えること、
を特徴とする画像編集再生装置。
【請求項５】
特定の方向における位置関係を、所定の配置規則に従って順に配置して、所定の空間に配置された複数のカメラによる撮影視点の異なる撮影画像である複数の画像に関する情報を表示する複数画像表示手段と、
前記複数画像表示手段により表示された複数の画像に関する情報のうち、互いに隣接するものの連続的な選択を受け付ける画像選択入力手段と、
前記画像選択入力手段により受け付けた選択に係る画像を示す情報を記録する画像情報記録手段と、
前記画像情報記録手段により記録された複数の情報に基づいて前記情報に係る画像を連続して表示する連続画像表示手段と、
を備え、
前記複数画像表示手段により表示される複数の画像に関する情報は、行方向における位置関係を前記撮影視点の空間的並びの順に、列方向における位置関係を撮影時刻の順に、マトリックス状に配置したものであり、
それぞれ複数の画像から構成される２以上の異なるマトリックス状の配列に基づいて、新たなマトリックス状の配列を生成する画像マトリックス合成手段を備え、
前記複数画像表示手段は、複数の画像に関する情報を前記新たなマトリックス状に配置して表示すること、
を特徴とする画像編集再生装置。
【請求項６】
特定の方向における位置関係を、所定の配置規則に従って順に配置して、所定の空間に配置された複数のカメラによる撮影視点の異なる撮影画像である複数の画像に関する情報を表示する複数画像表示手段と、
前記複数画像表示手段により表示された複数の画像に関する情報のうち、互いに隣接するものの連続的な選択を受け付ける画像選択入力手段と、
前記画像選択入力手段により受け付けた選択に係る画像を示す情報を記録する画像情報記録手段と、
前記画像情報記録手段により記録された複数の情報に基づいて前記情報に係る画像を連続して表示する連続画像表示手段と、
を備え、
前記複数画像表示手段により表示される複数の画像に関する情報は、行方向における位置関係を撮影時刻の順に、列方向における位置関係を前記撮影視点の空間的並びの順に、マトリックス状に配置したものであり、
それぞれ複数の画像から構成される２以上の異なるマトリックス状の配列に基づいて、新たなマトリックス状の配列を生成する画像マトリックス合成手段を備え、
前記複数画像表示手段は、複数の画像に関する情報を前記新たなマトリックス状に配置して表示すること、
を特徴とする画像編集再生装置。
【請求項７】
特定の方向における位置関係を、所定の配置規則に従って順に配置して、複数の画像に関する情報を表示する複数画像表示手段と、
前記複数画像表示手段により表示された複数の画像に関する情報のうち、互いに隣接するものの連続的な選択を受け付ける画像選択入力手段と、
前記画像選択入力手段により受け付けた選択に係る画像を示す情報を記録する画像情報記録手段と、
前記画像情報記録手段により記録された複数の情報に基づいて前記情報に係る画像を連続して表示する連続画像表示手段と、
を備え、
前記複数画像表示手段により表示される複数の画像に関する情報は、行を構成する画像が同一であり、列方向における位置関係を撮影時刻の順に、マトリックス状に配置したものであり、
それぞれ複数の画像から構成される２以上の異なるマトリックス状の配列に基づいて、新たなマトリックス状の配列を生成する画像マトリックス合成手段を備え、
前記複数画像表示手段は、複数の画像に関する情報を前記新たなマトリックス状に配置して表示すること、
を特徴とする画像編集再生装置。
【請求項８】
特定の方向における位置関係を、所定の配置規則に従って順に配置して、所定の空間に配置された複数のカメラによる撮影視点の異なる撮影画像である複数の画像に関する情報を表示する複数画像表示手段と、
前記複数画像表示手段により表示された複数の画像に関する情報のうち、互いに隣接するものの連続的な選択を受け付ける画像選択入力手段と、
前記画像選択入力手段により受け付けた選択に係る画像を示す情報を記録する画像情報記録手段と、
前記画像情報記録手段により記録された複数の情報に基づいて前記情報に係る画像を連続して表示する連続画像表示手段と、
を備え、
前記複数画像表示手段により表示される複数の画像に関する情報は、列を構成する画像が同一であり、行方向における位置関係を前記撮影視点の空間的並びの順に、マトリックス状に配置したものであり、
それぞれ複数の画像から構成される２以上の異なるマトリックス状の配列に基づいて、新たなマトリックス状の配列を生成する画像マトリックス合成手段を備え、
前記複数画像表示手段は、複数の画像に関する情報を前記新たなマトリックス状に配置して表示すること、
を特徴とする画像編集再生装置。
【請求項９】
特定の方向における位置関係を、所定の配置規則に従って順に配置して、所定の空間に近接して配置された複数のカメラによる撮影視点の異なる特定の被写体に関する撮影画像である複数の画像に関する情報を表示する複数画像表示手段と、
前記複数画像表示手段により表示された複数の画像に関する情報のうち、互いに隣接するものの連続的な選択を受け付ける画像選択入力手段と、
前記画像選択入力手段により受け付けた選択に係る画像を示す情報を記録する画像情報記録手段と、
前記画像情報記録手段により記録された複数の情報に基づいて前記情報に係る画像を連続して表示する連続画像表示手段と、
を備え、
前記複数画像表示手段により表示される複数の画像に関する情報は、行方向における位置関係を前記撮影視点の空間的並びの順に、列方向における位置関係を撮影時刻の順に、マトリックス状に配置したものであること、
を特徴とする画像編集再生装置。
【請求項１０】
特定の方向における位置関係を、所定の配置規則に従って順に配置して、所定の空間に近接して配置された複数のカメラによる撮影視点の異なる特定の被写体に関する撮影画像である複数の画像に関する情報を表示する複数画像表示手段と、
前記複数画像表示手段により表示された複数の画像に関する情報のうち、互いに隣接するものの連続的な選択を受け付ける画像選択入力手段と、
前記画像選択入力手段により受け付けた選択に係る画像を示す情報を記録する画像情報記録手段と、
前記画像情報記録手段により記録された複数の情報に基づいて前記情報に係る画像を連続して表示する連続画像表示手段と、
を備え、
前記複数画像表示手段により表示される複数の画像に関する情報は、行方向における位置関係を撮影時刻の順に、列方向における位置関係を前記撮影視点の空間的並びの順に、マトリックス状に配置したものであること、
を特徴とする画像編集再生装置。
【請求項１１】
特定の方向における位置関係を、所定の配置規則に従って順に配置して、所定の空間に近接して配置された複数のカメラによる撮影視点の異なる特定の被写体に関する撮影画像である複数の画像に関する情報を表示する複数画像表示手段と、
前記複数画像表示手段により表示された複数の画像に関する情報のうち、互いに隣接するものの連続的な選択を受け付ける画像選択入力手段と、
前記画像選択入力手段により受け付けた選択に係る画像を示す情報を記録する画像情報記録手段と、
前記画像情報記録手段により記録された複数の情報に基づいて前記情報に係る画像を連続して表示する連続画像表示手段と、
を備え、
前記複数画像表示手段により表示される複数の画像に関する情報は、列を構成する画像が同一であり、行方向における位置関係を前記撮影視点の空間的並びの順に、マトリックス状に配置したものであること、
を特徴とする画像編集再生装置。
【請求項１２】
請求項９から請求項１１のいずれかに記載の画像編集再生装置において、
前記複数画像表示手段により表示される複数の画像に関する情報のマトリックス状の配列を行方向または列方向に複数個並べて新たなマトリックス状の配列を生成する画像マトリックス繰り返し手段を備えること、
を特徴とする画像編集再生装置。
【請求項１３】
請求項９から請求項１１のいずれかに記載の画像編集再生装置において、
それぞれ複数の画像から構成される２以上の異なるマトリックス状の配列に基づいて、新たなマトリックス状の配列を生成する画像マトリックス合成手段を備え、
前記複数画像表示手段は、複数の画像に関する情報を前記新たなマトリックス状に配置して表示すること、
を特徴とする画像編集再生装置。
【請求項１４】
請求項１から請求項１３のいずれかに記載の画像編集再生装置において、
前記画像選択入力手段は、前記複数画像表示手段により表示された複数の画像に関する情報の上を指示する指示要素の軌跡に掛かる画像を選択して受け付けること、
を特徴とする画像編集再生装置。
【請求項１５】
請求項１４に記載の画像編集再生装置において、
前記複数画像表示手段は、前記指示要素の軌跡を前記複数の画像に関する情報の上に表示すること、
を特徴とする画像編集再生装置。
【請求項１６】
請求項１から請求項１５のいずれかに記載の画像編集再生装置において、
前記画像情報記録手段は、前記画像選択入力手段により受け付けた選択で画像に関する情報を選択している時間に係る情報を、前記画像を示す情報とともに記録し、
前記連続画像表示手段は、前記画像情報記録手段により記録された時間に係る情報に基づいて前記画像を表示すること、
を特徴とする画像編集再生装置。
【請求項１７】
請求項１から請求項１６のいずれかに記載の画像編集再生装置において、
前記画像選択入力手段により受け付けた選択に応じて音声処理に係る情報を決定する音声処理情報決定手段と、
前記音声処理に係る情報に基づいて音声を出力する音声出力手段と、
を備え、
前記画像情報記録手段は、前記音声処理情報決定手段により決定された音声処理に係る情報を、前記選択に係る画像を示す情報とともに記録し、
前記音声出力手段は、前記連続画像表示手段が前記画像を表示するときに、前記画像を示す情報とともに記録された前記音声処理に係る情報に基づいて音声を出力すること、
を特徴とする画像編集再生装置。
【請求項１８】
請求項１から請求項１７のいずれかに記載の画像編集再生装置において、
前記画像選択入力手段により受け付けた選択に係る画像を含む領域を拡大して表示する拡大表示手段を備えること、
を特徴とする画像編集再生装置。
【発明の詳細な説明】
【技術分野】
【０００１】
本発明は、画像編集再生装置に関する。
【背景技術】
【０００２】
従来より、ゲームコーナー等において、利用者を撮影し、モニタに表示した撮影画像にいたずら書きを加え、印刷して出力する撮影装置（いわゆるプリントシール機）があった（例えば特許文献１）。また、一部の撮影装置においては、その撮影画像を携帯電話機に送信して、携帯電話機のモニタに撮影画像を出力することが行われている。
【特許文献１】特開２００５−３２６４３５号公報
【発明の開示】
【発明が解決しようとする課題】
【０００３】
しかし、１枚の写真に対する編集では編集方法に限界があり、利用者が飽きやすいという問題があった。そこで、撮影装置で撮影した複数枚の写真に対し、簡便に編集を行うことを可能とし、編集結果が即時に確認できるとともに、今までにない興味深い編集画像を提供することを目的とする。
【課題を解決するための手段】
【０００４】
本発明は、以下のような解決手段により、前記課題を解決する。なお、理解を容易にするために、本発明の実施形態に対応する符号を付して説明するが、これに限定されるものではない。
【０００５】
請求項１の発明は、特定の方向における位置関係を、所定の配置規則に従って順に配置して、所定の空間に配置された複数のカメラによる撮影視点の異なる撮影画像である複数の画像に関する情報を表示する複数画像表示手段（２）と、前記複数画像表示手段（２）により表示された複数の画像に関する情報のうち、互いに隣接するものの連続的な選択を受け付ける画像選択入力手段（３）と、前記画像選択入力手段（３）により受け付けた選択に係る画像を示す情報を記録する画像情報記録手段（４）と、前記画像情報記録手段（４）により記録された複数の情報に基づいて前記情報に係る画像を連続して表示する連続画像表示手段（５）と、を備え、前記複数画像表示手段により表示される複数の画像に関する情報は、行方向における位置関係を前記撮影視点の空間的並びの順に、列方向における位置関係を撮影時刻の順に、マトリックス状に配置したものであり、前記複数画像表示手段により表示される複数の画像に関する情報のマトリックス状の配列を行方向または列方向に複数個並べて新たなマトリックス状の配列を生成する画像マトリックス繰り返し手段を備えること、を特徴とする画像編集再生装置（１）である。
請求項２の発明は、特定の方向における位置関係を、所定の配置規則に従って順に配置して、所定の空間に配置された複数のカメラによる撮影視点の異なる撮影画像である複数の画像に関する情報を表示する複数画像表示手段と、前記複数画像表示手段により表示された複数の画像に関する情報のうち、互いに隣接するものの連続的な選択を受け付ける画像選択入力手段と、前記画像選択入力手段により受け付けた選択に係る画像を示す情報を記録する画像情報記録手段と、前記画像情報記録手段により記録された複数の情報に基づいて前記情報に係る画像を連続して表示する連続画像表示手段と、を備え、前記複数画像表示手段により表示される複数の画像に関する情報は、行方向における位置関係を撮影時刻の順に、列方向における位置関係を前記撮影視点の空間的並びの順に、マトリックス状に配置したものであり、前記複数画像表示手段により表示される複数の画像に関する情報のマトリックス状の配列を行方向または列方向に複数個並べて新たなマトリックス状の配列を生成する画像マトリックス繰り返し手段を備えること、を特徴とする画像編集再生装置である。
請求項３の発明は、特定の方向における位置関係を、所定の配置規則に従って順に配置して、複数の画像に関する情報を表示する複数画像表示手段と、前記複数画像表示手段により表示された複数の画像に関する情報のうち、互いに隣接するものの連続的な選択を受け付ける画像選択入力手段と、前記画像選択入力手段により受け付けた選択に係る画像を示す情報を記録する画像情報記録手段と、前記画像情報記録手段により記録された複数の情報に基づいて前記情報に係る画像を連続して表示する連続画像表示手段と、を備え、前記複数画像表示手段により表示される複数の画像に関する情報は、行を構成する画像が同一であり、列方向における位置関係を撮影時刻の順に、マトリックス状に配置したものであり、前記複数画像表示手段により表示される複数の画像に関する情報のマトリックス状の配列を行方向または列方向に複数個並べて新たなマトリックス状の配列を生成する画像マトリックス繰り返し手段を備えること、を特徴とする画像編集再生装置である。
請求項４の発明は、特定の方向における位置関係を、所定の配置規則に従って順に配置して、所定の空間に配置された複数のカメラによる撮影視点の異なる撮影画像である複数の画像に関する情報を表示する複数画像表示手段と、前記複数画像表示手段により表示された複数の画像に関する情報のうち、互いに隣接するものの連続的な選択を受け付ける画像選択入力手段と、前記画像選択入力手段により受け付けた選択に係る画像を示す情報を記録する画像情報記録手段と、前記画像情報記録手段により記録された複数の情報に基づいて前記情報に係る画像を連続して表示する連続画像表示手段と、を備え、前記複数画像表示手段により表示される複数の画像に関する情報は、列を構成する画像が同一であり、行方向における位置関係を前記撮影視点の空間的並びの順に、マトリックス状に配置したものであり、前記複数画像表示手段により表示される複数の画像に関する情報のマトリックス状の配列を行方向または列方向に複数個並べて新たなマトリックス状の配列を生成する画像マトリックス繰り返し手段を備えること、を特徴とする画像編集再生装置である。
請求項５の発明は、特定の方向における位置関係を、所定の配置規則に従って順に配置して、所定の空間に配置された複数のカメラによる撮影視点の異なる撮影画像である複数の画像に関する情報を表示する複数画像表示手段と、前記複数画像表示手段により表示された複数の画像に関する情報のうち、互いに隣接するものの連続的な選択を受け付ける画像選択入力手段と、前記画像選択入力手段により受け付けた選択に係る画像を示す情報を記録する画像情報記録手段と、前記画像情報記録手段により記録された複数の情報に基づいて前記情報に係る画像を連続して表示する連続画像表示手段と、を備え、前記複数画像表示手段により表示される複数の画像に関する情報は、行方向における位置関係を前記撮影視点の空間的並びの順に、列方向における位置関係を撮影時刻の順に、マトリックス状に配置したものであり、それぞれ複数の画像から構成される２以上の異なるマトリックス状の配列に基づいて、新たなマトリックス状の配列を生成する画像マトリックス合成手段を備え、前記複数画像表示手段は、複数の画像に関する情報を前記新たなマトリックス状に配置して表示すること、を特徴とする画像編集再生装置である。
請求項６の発明は、特定の方向における位置関係を、所定の配置規則に従って順に配置して、所定の空間に配置された複数のカメラによる撮影視点の異なる撮影画像である複数の画像に関する情報を表示する複数画像表示手段と、前記複数画像表示手段により表示された複数の画像に関する情報のうち、互いに隣接するものの連続的な選択を受け付ける画像選択入力手段と、前記画像選択入力手段により受け付けた選択に係る画像を示す情報を記録する画像情報記録手段と、前記画像情報記録手段により記録された複数の情報に基づいて前記情報に係る画像を連続して表示する連続画像表示手段と、を備え、前記複数画像表示手段により表示される複数の画像に関する情報は、行方向における位置関係を撮影時刻の順に、列方向における位置関係を前記撮影視点の空間的並びの順に、マトリックス状に配置したものであり、それぞれ複数の画像から構成される２以上の異なるマトリックス状の配列に基づいて、新たなマトリックス状の配列を生成する画像マトリックス合成手段を備え、前記複数画像表示手段は、複数の画像に関する情報を前記新たなマトリックス状に配置して表示すること、を特徴とする画像編集再生装置である。
請求項７の発明は、特定の方向における位置関係を、所定の配置規則に従って順に配置して、複数の画像に関する情報を表示する複数画像表示手段と、前記複数画像表示手段により表示された複数の画像に関する情報のうち、互いに隣接するものの連続的な選択を受け付ける画像選択入力手段と、前記画像選択入力手段により受け付けた選択に係る画像を示す情報を記録する画像情報記録手段と、前記画像情報記録手段により記録された複数の情報に基づいて前記情報に係る画像を連続して表示する連続画像表示手段と、を備え、前記複数画像表示手段により表示される複数の画像に関する情報は、行を構成する画像が同一であり、列方向における位置関係を撮影時刻の順に、マトリックス状に配置したものであり、それぞれ複数の画像から構成される２以上の異なるマトリックス状の配列に基づいて、新たなマトリックス状の配列を生成する画像マトリックス合成手段を備え、前記複数画像表示手段は、複数の画像に関する情報を前記新たなマトリックス状に配置して表示すること、を特徴とする画像編集再生装置である。
請求項８の発明は、特定の方向における位置関係を、所定の配置規則に従って順に配置して、所定の空間に配置された複数のカメラによる撮影視点の異なる撮影画像である複数の画像に関する情報を表示する複数画像表示手段と、前記複数画像表示手段により表示された複数の画像に関する情報のうち、互いに隣接するものの連続的な選択を受け付ける画像選択入力手段と、前記画像選択入力手段により受け付けた選択に係る画像を示す情報を記録する画像情報記録手段と、前記画像情報記録手段により記録された複数の情報に基づいて前記情報に係る画像を連続して表示する連続画像表示手段と、を備え、前記複数画像表示手段により表示される複数の画像に関する情報は、列を構成する画像が同一であり、行方向における位置関係を前記撮影視点の空間的並びの順に、マトリックス状に配置したものであり、それぞれ複数の画像から構成される２以上の異なるマトリックス状の配列に基づいて、新たなマトリックス状の配列を生成する画像マトリックス合成手段を備え、前記複数画像表示手段は、複数の画像に関する情報を前記新たなマトリックス状に配置して表示すること、を特徴とする画像編集再生装置である。
請求項９の発明は、特定の方向における位置関係を、所定の配置規則に従って順に配置して、所定の空間に近接して配置された複数のカメラによる撮影視点の異なる特定の被写体に関する撮影画像である複数の画像に関する情報を表示する複数画像表示手段と、前記複数画像表示手段により表示された複数の画像に関する情報のうち、互いに隣接するものの連続的な選択を受け付ける画像選択入力手段と、前記画像選択入力手段により受け付けた選択に係る画像を示す情報を記録する画像情報記録手段と、前記画像情報記録手段により記録された複数の情報に基づいて前記情報に係る画像を連続して表示する連続画像表示手段と、を備え、前記複数画像表示手段により表示される複数の画像に関する情報は、行方向における位置関係を前記撮影視点の空間的並びの順に、列方向における位置関係を撮影時刻の順に、マトリックス状に配置したものであること、を特徴とする画像編集再生装置である。
請求項１０の発明は、特定の方向における位置関係を、所定の配置規則に従って順に配置して、所定の空間に近接して配置された複数のカメラによる撮影視点の異なる特定の被写体に関する撮影画像である複数の画像に関する情報を表示する複数画像表示手段と、前記複数画像表示手段により表示された複数の画像に関する情報のうち、互いに隣接するものの連続的な選択を受け付ける画像選択入力手段と、前記画像選択入力手段により受け付けた選択に係る画像を示す情報を記録する画像情報記録手段と、前記画像情報記録手段により記録された複数の情報に基づいて前記情報に係る画像を連続して表示する連続画像表示手段と、を備え、前記複数画像表示手段により表示される複数の画像に関する情報は、行方向における位置関係を撮影時刻の順に、列方向における位置関係を前記撮影視点の空間的並びの順に、マトリックス状に配置したものであること、を特徴とする画像編集再生装置である。
請求項１１の発明は、特定の方向における位置関係を、所定の配置規則に従って順に配置して、所定の空間に近接して配置された複数のカメラによる撮影視点の異なる特定の被写体に関する撮影画像である複数の画像に関する情報を表示する複数画像表示手段と、前記複数画像表示手段により表示された複数の画像に関する情報のうち、互いに隣接するものの連続的な選択を受け付ける画像選択入力手段と、前記画像選択入力手段により受け付けた選択に係る画像を示す情報を記録する画像情報記録手段と、前記画像情報記録手段により記録された複数の情報に基づいて前記情報に係る画像を連続して表示する連続画像表示手段と、を備え、前記複数画像表示手段により表示される複数の画像に関する情報は、列を構成する画像が同一であり、行方向における位置関係を前記撮影視点の空間的並びの順に、マトリックス状に配置したものであること、を特徴とする画像編集再生装置である。
請求項１２の発明は、請求項９から請求項１１のいずれかに記載の画像編集再生装置において、前記複数画像表示手段により表示される複数の画像に関する情報のマトリックス状の配列を行方向または列方向に複数個並べて新たなマトリックス状の配列を生成する画像マトリックス繰り返し手段を備えること、を特徴とする画像編集再生装置である。
請求項１３の発明は、請求項９から請求項１１のいずれかに記載の画像編集再生装置において、それぞれ複数の画像から構成される２以上の異なるマトリックス状の配列に基づいて、新たなマトリックス状の配列を生成する画像マトリックス合成手段を備え、前記複数画像表示手段は、複数の画像に関する情報を前記新たなマトリックス状に配置して表示すること、を特徴とする画像編集再生装置である。
請求項１４の発明は、請求項１から請求項１３のいずれかに記載の画像編集再生装置において、前記画像選択入力手段は、前記複数画像表示手段により表示された複数の画像に関する情報の上を指示する指示要素の軌跡に掛かる画像を選択して受け付けること、を特徴とする画像編集再生装置である。
請求項１５の発明は、請求項１４に記載の画像編集再生装置において、前記複数画像表示手段は、前記指示要素の軌跡を前記複数の画像に関する情報の上に表示すること、を特徴とする画像編集再生装置である。
請求項１６の発明は、請求項１から請求項１５のいずれかに記載の画像編集再生装置において、前記画像情報記録手段は、前記画像選択入力手段により受け付けた選択で画像に関する情報を選択している時間に係る情報を、前記画像を示す情報とともに記録し、前記連続画像表示手段は、前記画像情報記録手段により記録された時間に係る情報に基づいて前記画像を表示すること、を特徴とする画像編集再生装置である。
請求項１７の発明は、請求項１から請求項１６のいずれかに記載の画像編集再生装置において、前記画像選択入力手段により受け付けた選択に応じて音声処理に係る情報を決定する音声処理情報決定手段と、前記音声処理に係る情報に基づいて音声を出力する音声出力手段と、を備え、前記画像情報記録手段は、前記音声処理情報決定手段により決定された音声処理に係る情報を、前記選択に係る画像を示す情報とともに記録し、前記音声出力手段は、前記連続画像表示手段が前記画像を表示するときに、前記画像を示す情報とともに記録された前記音声処理に係る情報に基づいて音声を出力すること、を特徴とする画像編集再生装置である。
請求項１８の発明は、請求項１から請求項１７のいずれかに記載の画像編集再生装置において、前記画像選択入力手段により受け付けた選択に係る画像を含む領域を拡大して表示する拡大表示手段を備えること、を特徴とする画像編集再生装置である。
【００２２】
なお、符号を付して説明した構成は、適宜改良してもよく、また、少なくとも一部を他の構成物に代替してもよい。
【発明の効果】
【００２３】
本発明によれば、以下の効果を奏することができる。
（１）本発明によれば、複数の画像に関する情報を所定の配置規則に従って順に配置して、隣接するものを連続して選択して、画像を連続的に再生するので、選択の仕方に応じて様々なつながりのある動画風に画像を再生することができる。
【００２４】
（２）本発明によれば、所定の生成規則に基づいて生成された複数の画像に関する情報を所定の配置規則に従って順に配置して、隣接するものを連続して選択して、画像を連続的に再生するので、関連性のある画像を、選択の仕方に応じて様々なつながりのある動画風に再生することができる。
【００２５】
（３）本発明によれば、複数の画像に関する情報を所定の配置規則に従って順に配置して、それらに対し指先等の指示要素で自由に軌跡を描くことで、当該軌跡に掛かる画像を連続して選択することができるので、短時間で簡単に複数画像の選択をすることができる。また、軌跡の描き方に応じて、様々な動画風に画像を再生して楽しむことができる。
【００２６】
（４）本発明によれば、複数の画像に関する情報を指先等の指示要素で軌跡を描いたときの速度に応じて、画像を動画風に再生することができるので、再生速度を予測しながら編集（選択）を行うことができ、編集操作時と再生時の両方において楽しさを増加することができる。
（５）本発明によれば、複数の画像に関する情報を選択するのに応じて、自動的に音声処理方法が決定され、画像の再生時に音声出力されるので、音響効果により賑やかに演出して再生時の楽しさを増加することができる。
【００２７】
（６）本発明によれば、複数の画像に関する情報を選択するのに応じて、自動的に映像処理方法が決定され、画像の再生時に映像効果が付与されるので、通常の画像の再生では味わえない映像効果により再生時の楽しさを増加することができる。
（７）本発明によれば、複数の画像に関する情報を撮影時刻と撮影視点に基づきマトリックス状に並べて表示するので、編集（選択）操作がしやすくなるとともに、時間的、空間的変化のある複数画像の再生を楽しむことができる。
【００２８】
（８）本発明によれば、複数の画像に関する情報を撮影時刻に基づきマトリックス状に並べて表示するので、時間的変化に特徴がある複数画像の編集（選択）と再生を楽しむことができる。
（９）本発明によれば、複数の画像に関する情報を撮影視点に基づきマトリックス状に並べて表示するので、止まっている被写体が撮影視点の変化により恰も動いているように再生することが可能となる。
【００２９】
（１０）本発明によれば、複数の画像に関する情報が表示された配列を、行と列とを入れ替えたり、行または列の画像を同一のものにしたり、配列を繰り返したりして変換することができるので、利用者が操作しやすいように画面設定が可能となる。また、その結果、編集（選択）と再生のバリエーションを増やすことができ、楽しむ機会を増やすことができる。
【００３０】
（１１）本発明によれば、複数の画像に関する情報から構成される２以上の異なる配列から、新たな配列を作り出すことができるので、編集（選択）と再生のバリエーションを増やすことができ、楽しむ機会を増やすことができる。
（１２）本発明によれば、編集時に画像の内容を開示しないように画像に関する情報を表示し、利用者に画像内容がわからない状態で画像に関する情報を選択させるので、予想のできない画像の再生を可能とし、楽しさを増加させることができる。
【００３１】
（１３）本発明によれば、画像の拡大表示機能を有するので、編集操作がしやすくなる。
（１４）本発明によれば、編集画面の選択位置に応じて自動スクロール機能を有するので、編集操作がしやすくなる。
【発明を実施するための最良の形態】
【００３２】
（第１実施形態）
以下、本発明を実施するための最良の形態について図を参照しながら説明する。なお、これはあくまでも一例であって、本発明の技術的範囲はこれに限られるものではない。
本実施形態の前提として、被写体を、撮影時刻、及び空間的な撮影ポイントが近接する複数の写真を画面に並べて表示する。
【００３３】
上記の複数の写真は、以下のような方法で撮影することができる。例えば、図１のように、複数台のカメラＶ００〜Ｖ２３を、被写体を囲む円周上に並べて配置し、一斉にシャッターを切ることにより同時に、撮影視点の異なる複数枚の写真が撮影できる。図１では２４台のカメラを１５度ずつずらして円周上に配置しているので、同時に２４枚の写真を撮影することができる。また図２のように、カメラを１５度ずつ円周方向にずらしながら、上下方向には交互に波を打つようにずらして配置してもよい。このようにしても、隣接するカメラ同士は近接しており、隣接する２つのカメラから撮った写真は被写体を少し違った角度から撮っただけのよく似たものとなる。
【００３４】
このように配置した複数台のカメラにより、同時に複数枚の写真が撮影できるが、これらのカメラを用い、複数回連続的に撮影すると、それぞれのカメラからは撮影時刻が異なり、時間的に近接する複数枚の写真が撮影される。例えば、撮影時間間隔を０．１秒として、１０回連続撮影すると、１秒間に１つのカメラから１０枚の写真が撮影される。したがって、被写体の周りに設置した２４台のカメラからそれぞれ撮影時間間隔を０．１秒として、同じタイミングで１０回連続撮影すると、１秒間に全部で２４０枚（＝１０×２４）の写真が撮影できることになる。
【００３５】
このようにして撮影された写真により、１つの写真を１つの要素とするマトリックスを構成することができる。上記の例では、２４台のカメラで１０回の連続撮影をすることとしたので、１０行２４列のマトリックスを構成するが、カメラの台数は２４台より多くてもまた少なくてもよいし、連続撮影回数も１０回より多くてもまた少なくてもよい。例えば、３６台のカメラで２０回連続撮影すれば２０行３６列のマトリックスを構成する。もちろん、３６行２０列のマトリックスと考えてもよい。
【００３６】
［画像編集再生装置の機能構成図］
図３は、本実施形態に係る画像編集再生装置１の機能構成を示す図である。画像編集再生装置１は、複数画像表示手段２、画像選択入力手段３、画像情報記録手段４及び連続画像表示手段５を基本的手段として有し、さらに複数画像表示手段２にマトリックス状に表示される複数の写真について、配列の編集手段として画像マトリックス転置手段６、画像マトリックス転換手段７、画像マトリックス繰り返し手段８及び画像マトリックス合成手段９を有する。
【００３７】
画像編集再生装置１は、入力時の補助機能を提供するものとして拡大表示手段１０と自動スクロール手段１１を有する。
また、画像編集再生装置１は、写真の表示（再生）に効果を与えるために、音声処理情報決定手段１２、映像処理情報決定手段１３、音声出力手段１４及び映像効果付与手段１５を有する。
【００３８】
複数画像表示手段２は複数の写真（画像）を並べて表示する。その写真の配列の上を指先等で線描きするような方法で写真を選択すると、その選択情報は、画像選択入力手段３により受け付けられ、画像情報記録手段４に記録される。そして、画像情報記録手段４から写真の選択記録を読み出し、連続画像表示手段５により上記で選択された写真を動画風に再生する。そのとき、音声効果や映像効果を付加して面白みを加えることができる。  
【００３９】
［画像編集再生装置のハードウェア構成］
図４は、本実施形態に係る画像編集再生装置１のハードウェア構成を示す図である。画像編集再生装置１は、制御装置３０を構成するＣＰＵ（Ｃｅｎｔｒａｌ  Ｐｒｏｃｅｓｓｉｎｇ  Ｕｎｉｔ）３１（マルチプロセッサ構成ではＣＰＵ３２等複数のＣＰＵが追加されてもよい）、バスライン２０、通信Ｉ／Ｆ（Ｉ／Ｆ：インターフェイス）３３、メインメモリ３４、ＢＩＯＳ（Ｂａｓｉｃ  Ｉｎｐｕｔ  Ｏｕｔｐｕｔ  Ｓｙｓｔｅｍ）３５、表示装置３６、Ｉ／Ｏコントローラ３７、並びにキーボード及びマウス等の入力装置３８を備える。
【００４０】
制御装置３０は、画像編集再生装置１を統括的に制御するための装置であり、ハードディスク４０（後述）に記憶された各種プログラムを適宜読み出して実行することにより、上述したハードウェアと協働し、本発明に係る各種機能を実現している。
【００４１】
通信Ｉ／Ｆ３３は、画像編集再生装置１が、インターネット（図示せず）を介して編集前の写真情報を受け取ったり、また編集後の写真情報を送信したりする場合のネットワーク・アダプタである。通信Ｉ／Ｆ３３は、モデム、ケーブル・モデム及びイーサネット（登録商標）・アダプタを含んでよい。ＢＩＯＳ３５は、画像編集再生装置１の起動時にＣＰＵ３１が実行するブートプログラムや、画像編集再生装置１のハードウェアに依存するプログラム等を記録する。
【００４２】
表示装置３６は、写真を編集（選択）したり再生（表示）するための画面を表示するものであり、ブラウン管表示装置（ＣＲＴ）、液晶表示装置（ＬＣＤ）等のディスプレイ装置を含む。ディスプレイの表面は透明なタッチパネル（画像選択入力手段３）で覆われており、利用者が、ディスプレイにマトリックス状に表示された複数の写真を指先やタッチペン等の指示要素で触れることにより、選択することができるようになっている。触れられた位置の検出には、電子式、静電式、光学式、超音波式等の方法があるが、いずれの方法を用いてもよい。
【００４３】
Ｉ／Ｏコントローラ３７には、ハードディスク４０、及び半導体メモリ４１等の記憶装置４２を接続することができる。入力装置３８は、画像編集再生装置１の管理者による入力の受け付けを行うものである。出力装置３９は、音声の出力を行うものである。ハードディスク４０は、本ハードウェアを画像編集再生装置１として機能させるための各種プログラム、本発明の機能を実行するプログラム及び後述するテーブルを記憶する。
【００４４】
以上、画像編集再生装置１のハードウェア構成について主に説明したが、コンピュータに、プログラムをインストールして、そのコンピュータを画像編集再生装置１として動作させることにより上記で説明した機能を実現することもできる。したがって、本発明において一実施形態として説明した画像編集再生装置１により実現される機能は、上述の方法を当該コンピュータにより実行することによって、あるいは、上述のプログラムを当該コンピュータに導入して実行することによっても実現可能である。
【００４５】
なお、本発明でいうコンピュータとは、記憶装置、制御装置等を備えた情報処理装置をいい、画像編集再生装置１は、記憶装置４２、制御装置３０等を備えた情報処理装置により構成され、この情報処理装置は、本発明のコンピュータの概念に含まれる。
【００４６】
複数画像表示手段２と連続画像表示手段５には表示装置３６が、画像選択入力手段３には表示装置３６のタッチパネルが、画像情報記録手段４には記憶装置４２が、音声出力手段１４には出力装置３９がそれぞれ対応するが、画像マトリックス転置手段６、画像マトリックス転換手段７、画像マトリックス繰り返し手段８、画像マトリックス合成手段９、拡大表示手段１０、自動スクロール手段１１、音声処理情報決定手段１２、映像処理情報決定手段１３、及び映像効果付与手段１５には主に制御装置３０が対応する。  
【００４７】
［画像マトリックス］
図５〜図７は、マトリックス状に配置された複数の写真（以下、画像マトリックスと呼ぶ）の例である。カメラＶ００〜カメラＶ２３までの合計２４台のカメラで、０．１秒間隔で１０回の撮影を行って得られた写真を１０行２４列のマトリックスにして並べたものである。ここで、上記のように写真が撮影されることが写真（画像）の生成規則となる。
【００４８】
行方向（横軸方向）は撮影視点の順に、列方向（縦軸方向）は撮影時刻の順に、写真が配置されている。ここで、「撮影視点の順」及び「撮影時刻の順」が配置規則となる。各写真には、写真番号Ｉ０００〜Ｉ９２３の番号を付して示し、３桁の数字のうち、上１桁は撮影時刻、下２桁は撮影視点（カメラ番号）を示す。例えば、時刻０にカメラＶ００で撮影した写真はＩ０００、時刻０．４にカメラＶ０２で撮影した写真はＩ４０２である。これらは実際の写真を縮小して並べているものとするが、図中は写真に付けた写真番号のみで表示している。
【００４９】
ここで、Ｉ０００〜Ｉ０２３の２４枚の写真（図６の太枠で表示）は、被写体を時刻０において２４台のカメラでそれぞれ撮った写真である。隣り合う写真は、隣接するカメラで撮影したものなので、視点が少しずれただけのよく似た画像を構成する。したがって、Ｉ０００〜Ｉ０２３の２４枚の画像を連続的に表示すると、恰も被写体が回転しているような効果を生み出す。
【００５０】
一方、Ｉ０００〜Ｉ９００の１０枚の写真（図７の太枠で表示）は、被写体の動作状況を、時刻０から時刻０．９までの間にカメラＶ００で撮影した写真である。同様に、Ｉ００１〜Ｉ９０１の１０枚の写真は、被写体の動作状況を時刻０から時刻０．９までの間にカメラＶ０１で撮影した写真である。
【００５１】
［画像マトリックスの表示と選択］
図８は、表示装置３６の表示画面５０を示す図である。ここには、画像マトリックスが表示される画像マトリックス表示部５１と、選択開始ボタン５２、選択決定ボタン５３、クリアボタン５４及び再生ボタン５５の４つのボタンが設けられている。利用者は、画像マトリックス表示部５１に画像マトリックスが表示されたら、最初に選択開始ボタン５２を押す。実際にはタッチパネルが接着されているので、指先等で触れるだけでよい。
【００５２】
図９は、選択された写真に関する情報を記録し、それに基づいて写真の再生を行うための選択写真テーブルである。選択開始ボタン５２が押されると選択写真テーブルの記録がスタートする。そして、利用者が、画像マトリックス表示部５１に表示された画像マトリックスを構成する写真のいずれかに触れると、その写真の写真番号とその時刻が、一連番号が若い方から順に選択写真テーブルの写真番号と選択開始時刻の欄にそれぞれ記録される。
【００５３】
図９では、９時丁度にＩ３００の写真が最初に触れられたことを示している。そして、利用者が、画像マトリックス上を指先等で線描き風に選択すると軌跡がモニタに表示される。触れた場所がＩ３００の写真から隣接するＩ３０１の写真に移ると、その時刻がＩ３００の選択終了時刻に記録され、選択開始時刻と選択終了時刻の時間差が時間の欄に記録されるとともに、一連番号２の所定の欄に写真番号Ｉ３０１とその時刻が記録される。そのようにして、指先等で描いた軌跡が通過した写真について、順次選択写真テーブルに記録されていく。そして、各写真の選択滞留時間、つまり、指先等が各写真に触れてからその写真を離れるまでの時間が同時に選択写真テーブルに記録されていく。
【００５４】
図９に示した例では、Ｉ３００の写真は０．１２秒間触れられていたことを示している。利用者がＩ５０９の写真に触れているところで、利用者が指先等を画像マトリックス表示部から離し、選択決定ボタンを押すと、選択写真テーブルの次の欄に「ＦＦＦＦ」が記録される。図９の例では、一連番号１１の各欄等に「ＦＦＦＦ」が記録されている。
【００５５】
したがって、図９は、Ｉ３００からスタートしＩ５０９までの全部で１０個の写真の上を指先等で線描きした後、選択決定ボタンが押されたことを示している。利用者は、選択決定する前に、クリアボタンを押すことで、それまで選択写真テーブルに記録された内容をクリアすることができる。
図１０は、図９に示したように選択写真テーブルが記録される場合の画像マトリックス上の選択の軌跡を示している。
【００５６】
［画像の再生］
図１１は、選択した複数の写真を連続して再生するとき表示する再生画面を示している。選択決定ボタンが押された後、再生ボタン５５（図８）を押すと、編集画面（図８）から再生画面（図１１）に画面が切り替わる。再生画面には、再生画像表示部６０と、巻戻しボタン６１、逆送りボタン６２、順送りボタン６３、一時停止ボタン６４、停止ボタン６５、早送りボタン６６及び編集ボタン６７の７つのボタンがある。編集ボタン６７は、再生画面（図１１）から編集画面（図８）に画面を切り替えるためのボタンである。それ以外のボタン６１〜６６は画像の再生操作に用いられる。
【００５７】
順送りボタン６３を押すと、選択写真テーブル（図９）に記録された写真番号の写真が、再生画像表示部６０に連続的に表示される。そのとき、各写真は、選択写真テーブルに記録されている時間だけそれぞれ表示される。したがって、指先等で図１０に示す画像マトリックス上に線を描くように選択したときの速さで写真が再生されることになる。
このように、編集後すぐに再生をすることができるので、利用者は再生内容が気に入るまで編集（選択）を何度も繰り返すことができる。
【００５８】
画像マトリックスを、列方向には時間的に近接した被写体の写真、行方向には位置的に近接した被写体の写真で構成しておくと、隣り合う写真はわずかな撮影時刻や撮影視点が異なるだけのよく似た写真になる。したがって、編集時に、画像マトリックスから指先等を離さずに線を描くと、再生した画像もほぼ滑らかな動きのある連続写真となる。
図１２は、画像マトリックスの上を選択のために線描きした例を示す。このように、画像マトリックスの線描きの仕方は自由であり、図１２のように、一度線描きした写真の上を再度線描きすることも可能である。
【００５９】
このように、１つの画像マトリックスに対して、線描きの仕方の数だけ再生画像が生成されるので、選択写真テーブル（図９）の内容を、名前を付けてファイルとして保存しておけば、以後、ファイル名を指定することで、いつでも再生することができる。また、そのファイルを転送すれば、別の再生装置（再生機能を持ったコンピュータ）で再生することができる。携帯電話機、ＰＤＡ、パソコン（パーソナルコンピュータ）等でそのファイルをダウンロードして再生することも可能である。
このようにすることで、自由に行った線描きに応じて、予想しない連続写真の再生が可能となり、遊戯効果を生み出すことができる。
【００６０】
（第２実施形態）
第１実施形態では、写真の再生のみについての例を説明したが、写真の再生と同時に音声やテロップ等の挿入を行うこともできる。例えば、画像マトリックスを複数の部分に分割したゾーンと呼ぶエリアに分け、そのゾーン毎に特定の音声処理や映像処理と対応付ける方法をとることができる。
なお、以下の説明及び図面において、前述した第１実施形態と同様の機能を果たす部分には、同一の符号を付して、重複する説明を適宜省略する。
【００６１】
図１３では、画像マトリックスをゾーンＩからゾーンVIまで６つのゾーンに分けた例を示している。
図１４は、ゾーン編集テーブルを示す図である。各ゾーンの左上の写真番号をゾーン始番号、右下の写真番号をゾーン終番号として、対角線の両端にある写真番号でゾーンの範囲を表し、これに対応する音声処理コードと映像処理コードを保有している。
【００６２】
図１５は、図９の選択写真テーブルに音声処理コードと映像処理コードの記録欄を加えたものである。図１５には、選択された写真がどのゾーンに属していたかに応じてそのゾーンに対応する音声処理コードと映像処理コードが記録されている。
この選択写真テーブル（図１５）に基づいて写真の再生をするとき、再生する写真に対応する音声処理コードと映像処理コードに基づいて、音声処理と映像処理が行われる。
【００６３】
図１６は、音声処理テーブルである。音声処理としては、音声処理テーブルに基づいて音声処理コードに対応する、ハードディスク４０に記憶した音声ファイル（図示せず）に記録される音声が再生されるようにすることができる。
図１７は、映像処理テーブルである。映像処理としては、映像処理テーブルに基づいて映像処理コードに対応する、ハードディスク４０に記憶したテロップファイル（図示せず）に記録されるテロップを流すようにすることができる。
【００６４】
音声処理や映像処理の仕方はこれに限られるものではなく、例えば、ある映像処理コードに対応して再生される写真の色調を淡くしたり、セピア色にして表示したり、いろいろな映像効果を与えるようにすることもできる。
また、上述の例では、ゾーンに分けて音声処理や映像処理の方法を決定するようにしたが、これに限られるものでなく、例えば、再生時間に応じて決定するようにしてもよい。
このようにすることで、写真だけの再生では得られない遊戯効果を生み出すことができる。
【００６５】
（第３実施形態）
第３実施形態では、編集画面（図８）に表示する画像マトリックスの構成を変えることができる例を示す。
【００６６】
画像マトリックスの基本形は図５に記載したように、列方向を撮影時刻、行方向をカメラ番号とした写真から構成されるが、編集画面に画像マトリックスの変換ボタンを設けて、画像マトリックスの構成を変更できるようにしてもよい。編集画面の例を図１８に、変換メニュー画面の例を図１９に示す。
図１８は、第１実施形態で説明した図８の編集画面に変換ボタン５６を追加したものである。変換ボタン５６を押すと、図１９に示した変換メニュー画面７０が表示される。
【００６７】
「縦横入れ替え」のボタン７１を押すと、画像マトリックスの行と列が入れ替わった画像マトリックスに変換される。具体的には図２０に例を表示したが、行はカメラ番号別、列は撮影時刻別となっている。このように、行と列を入れ替えることにより、利用者の好みに合わせて操作しやすいように画面の設定が可能となる。
【００６８】
「カメラ固定」のボタン７２を押すと、右側にドロップダウンリストを表示するためのボタン７３が現れ（図１９ではすでに現れた例を表示）、カメラ番号を選択する。カメラＶ００を選択した場合の変換後の画像マトリックスの例を図２１に示す。ここでは、すべての列がカメラＶ００で撮影された写真になっている。例えば、顔の表情のようなものは、正面のカメラで撮った写真に固定した方が面白い可能性があるからである。
【００６９】
「時間固定」のボタン７４を押すと、上記と同様、右側にドロップダウンリストを表示するためのボタン７５が現れ（図１９ではすでに現れた例を表示）、ここで時間を選択する。ｔ＝０．１を選択した場合の変換後の画像マトリックスの例を図２２に示す。ここでは、すべての行がｔ＝０．１の時刻に撮影された画像になっている。
【００７０】
「画像マトリックス繰り返し」のボタン７６を押すと、右側に２つのドロップダウンリストを表示するためのボタン７７及びボタン７８が現れ（図１９ではすでに現れた例を表示）、ボタン７７で繰り返しの方向、ボタン７８で繰り返しの回数を選択する。図２３に、行方向に４回繰り返したときに生成される画像マトリックスの例を示す。列方向に繰り返す場合も同様である。
【００７１】
「ミックス」のボタン７９を押すと、２つの異なる画像マトリックスの要素をミックスして新しい画像マトリックスを生成する。この場合は、ソースとなる画像マトリックスのマトリックス名を指定し、ミックス方法も指定する必要があるが、具体的な指定方法は省略する。図２４に、画像マトリックスＡと画像マトリックスＢ（要素は斜体文字で表示）の要素をミックスして新しい画像マトリックスＣを生成した例を示している。この例では、画像マトリックスＡの奇数列と画像マトリックスＢの偶数列を組み合わせて新しい画像マトリックスＣを生成している。
【００７２】
「ブラインド」のボタン８０を押すと、画像マトリックス表示部５１（図１８）に表示される画像マトリックスにおいて画像を見せなくするために写真が遮蔽され、単なる単色、もしくは写真と無関係な模様で表示される。図２５に具体例を示す。写真を見せずに行った方が再生する態様がまったく予想できず面白い場合もあるからである。
【００７３】
（第４実施形態）
本実施形態は、指先等の操作をしやすくするための例である。
一般に、画像マトリックス表示部に画像マトリックスを表示すると各要素を構成する写真は小さくなり見にくくなってしまう。そこで、虫眼鏡機能を設け、指先等が触れているところの周辺を拡大して見やすくすると便利である。そこで、指先等が触れている場所の画面上の位置を測定し、その位置から例えば半径２０ｍｍ以内にある画像を半径４０ｍｍの枠内に拡大して画面上で表示するようにすれば、画像を確認しながら線描きすることができる。図２６に具体的な例を示す。
【００７４】
また、画像マトリックスが大きくて、画像マトリックス表示部に収まりきらない場合は、スクロールをしなければ画像マトリックスの全体を見ることができない。しかし、画像マトリックスを指先等で線描きしながら、スクロール操作をするのは不便である。そこで、指先等が触れる場所が画像マトリックス表示部の端に近づいたときには、自動的にスクロールするようにすると便利である。
【００７５】
図２７に示した編集画面において、指先等が触れる場所が、画像マトリックス表示部５１に引いた縦横各２本の点線９０〜９３で示される部分に入ったときには、それぞれ矢印で示した方向に自動スクロールするようにする。これは、指先等が触れる場所の位置を検出して、その位置が所定の場所に入ったらスクロールボタンを押した場合と同様の処理を行うことで実現することができる。こうすることで、画像マトリックス表示部に収まりきらない画像マトリックスに対しても簡単に線描き操作をすることができる。
【００７６】
なお、自動スクロールが起動される時点で選択されている場所はロックされ、選択時間の計算からも除外されるようにする。自動スクロールでの画像の動きに合わせて指先等を動かすのは困難であり、自動スクロールが停止した後、新たに選択を開始すればいいからである。
【００７７】
（変形形態）
以上の説明では、複数の写真がマトリックス状に並べて表示されることを前提に行ったが、これに限るものではない。完全なマトリックスではなく、複数の写真を列または行あるいは両方を少しずらして並べたり、複数の写真を円形や三角形その他の形状に並べて表示するようにしてもよい。その場合は、その並べ方に応じて様々な変換方法を設けることができる。
【００７８】
例えば、図２８のように画像ａ〜ｈが配置されている場合を考える。この場合マトリックス状に配置されているとはいえないが、画像ａと画像ｄとの関係を考えると、横方向の位置関係は画像ｄが画像ａの右にある。同じように画像ｆは画像ｄの右にある。したがって、横方向が撮影視点の空間的並びの順であるとするならば、撮影視点は、画像ａ、画像ｄ、画像ｆの順に規則的に並んでいることになる。
【００７９】
また、縦方向の位置関係が撮影時刻の順であるとするならば、撮影時刻は、画像ａ、画像ｆ、画像ｄの順に規則的に並んでいることになる。このように完全なマトリックス状に配置されたものでなくても、いずれの方向の位置関係をどのような規則に基づいて決めるかが決まれば本発明の技術的範囲に含まれる。
【００８０】
なお、方向としては、必ずしも直線で定まる方向でなくても、曲線により定まるものであってもよい。また、規則（生成規則または配置規則）としては、撮影視点や、撮影時刻のみならず、撮影時のズーム度や画面の色合い等、様々なものが考えられるので、これらを適宜組み合わせて用いることができる。
【００８１】
また、画像マトリックス上への線描きによる選択は指先等で行うこととしたが、これに限られるものではない。前後左右に自由に選択箇所を移動できる手段であれば、他の手段であってもよい。例えば、ジョイスティック、ポインティング・スティック（トラックポイント）、タッチパッド、データグローブ、トラックボール、ペンタブレット、マウス、ライトペン、ジョイパッド、キーボード等が利用できる。
また、以上の説明では、画像は写真であるとしたが、写真に限定されない。例えば、アニメ等のような人工的に描いたものであってもよい。
また、画像の生成規則と配置規則を分けたが、両者は同じものであってもよい。例えば、０．１秒毎に撮影した写真をその通り配置する場合は、両者は同じと考えられる。しかし、０．１秒毎に撮影した写真を、０．１秒目、０．２秒目、０．４秒目、０．８秒目というように、等比数列的に配置する場合は、両者は異なる。
【００８２】
また、撮影時間間隔は０．１秒に限ることはない。例えば、それぞれの撮影視点に８ミリカメラのようなものを置き、撮影された各フレーム画像を用いるようにしてもよい。その場合、１秒間に２４枚以上の撮影がされるので、撮影時間間隔は０．１秒より短くなる。その際、必ずしも、各撮影視点で厳密に同期を取って撮影する必要はない。撮影開始時点がほぼ一致していれば、フレームごとの撮影時間が一致していなくても、編集上特に支障はないからである。また、８ミリカメラに限るものではなく、動画撮影を行い、適当にフレーム画像を抜き出して利用してももちろんよい。このようにすれば、現在一般に使われている動画撮影用のカメラが利用できるだけでなく、撮影した画像も滑らかな動きのあるものとなるからである。
【００８３】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【図面の簡単な説明】
【００８４】
【図１】第１実施形態に係る複数のカメラ配置の一例を示す図である。
【図２】第１実施形態に係る複数のカメラ配置の一例を示す図である。
【図３】第１実施形態に係る画像編集再生装置１の機能構成図である。
【図４】第１実施形態に係る画像編集再生装置１のハードウェア構成図である。
【図５】第１実施形態に係る画像マトリックスを示す図である。
【図６】第１実施形態に係る画像マトリックスを示す図である。
【図７】第１実施形態に係る画像マトリックスを示す図である。
【図８】第１実施形態に係る編集画面を示す図である。
【図９】第１実施形態に係る選択写真テーブルを示す図である。
【図１０】第１実施形態に係る画像マトリックスを示す図である。
【図１１】第１実施形態に係る再生画面を示す図である。
【図１２】第１実施形態に係る画像マトリックスを示す図である。
【図１３】第２実施形態に係る画像マトリックスのゾーン分割を示す図である。
【図１４】第２実施形態に係るゾーン編集テーブルを示す図である。
【図１５】第２実施形態に係る選択写真テーブルを示す図である。
【図１６】第２実施形態に係る音声処理テーブルを示す図である。
【図１７】第２実施形態に係る映像処理テーブルを示す図である。
【図１８】第３実施形態に係る編集画面を示す図である。
【図１９】第３実施形態に係る変換メニュー画面を示す図である。
【図２０】第３実施形態に係る画像マトリックスの一例を示す図である。
【図２１】第３実施形態に係る画像マトリックスの一例を示す図である。
【図２２】第３実施形態に係る画像マトリックスの一例を示す図である
【図２３】第３実施形態に係る画像マトリックスの一例を示す図である。
【図２４】第３実施形態に係る画像マトリックスの合成の一例を示す図である。
【図２５】第３実施形態に係る編集画面の一例を示す図である。
【図２６】第４実施形態に係る写真拡大機能を示す図である。
【図２７】第４実施形態に係る自動スクロール機能を示す図である。
【図２８】変形形態に係る画像の配置例を示す図である。
【符号の説明】
【００８５】
１  画像編集再生装置
２０  バス
３０  制御装置
４２  記憶装置
Ｖ００〜Ｖ２３  カメラ
【図１】
0005001189.tif 000002
【図２】
0005001189.tif 000003
【図３】
0005001189.tif 000004
【図４】
0005001189.tif 000005
【図５】
0005001189.tif 000006
【図６】
0005001189.tif 000007
【図７】
0005001189.tif 000008
【図８】
0005001189.tif 000009
【図９】
0005001189.tif 000010
【図１０】
0005001189.tif 000011
【図１１】
0005001189.tif 000012
【図１２】
0005001189.tif 000013
【図１３】
0005001189.tif 000014
【図１４】
0005001189.tif 000015
【図１５】
0005001189.tif 000016
【図１６】
0005001189.tif 000017
【図１７】
0005001189.tif 000018
【図１８】
0005001189.tif 000019
【図１９】
0005001189.tif 000020
【図２０】
0005001189.tif 000021
【図２１】
0005001189.tif 000022
【図２２】
0005001189.tif 000023
【図２３】
0005001189.tif 000024
【図２４】
0005001189.tif 000025
【図２５】
0005001189.tif 000026
【図２６】
0005001189.tif 000027
【図２７】
0005001189.tif 000028
【図２８】
0005001189.tif 000029